(57)【要約】【課題】防水扉の水密構造を簡素な構成で、施工空間の制約を受けにくいものにする。【解決手段】左右両側枠５Ａ、５Ｂ間を結ぶ床Ｆを凹陥させ、上部開口に蓋板１１が開閉自在に取り付けられる収納部１０を形成し、この収納部１０には、長手方向に沿って防水扉６と収納部１０とに対応して形成されこれら防水扉６と収納部１０とに密着可能に当接する戸当たり板２０を設けている。防水扉６の水密を確保する際、戸当たり板２０の長手方向に沿って設けられた一方のシール部２７が防水扉６の下部に、戸当たり板２０の一方のシール部２７と部位を異ならせ長手方向に沿って設けられた他方のシール部２９が収納部１０にそれぞれ圧接され、防水扉６と収納部１０との間の水密を保持するよう構成される。【選択図】図８
2015042822.tif 000002
【特許請求の範囲】
【請求項１】
構造物の出入り口の左右両側枠のうち少なくとも一方の側に一側部が開閉自在に支持された防水扉を、出入り口の上枠と左右側枠とに圧接させて出入り口を閉塞し水密を確保する防水扉の水密構造であって、
左右両側枠間を結ぶ床を凹陥させ上部開口に蓋板を有する収納部を形成し、この収納部には、長手方向に沿って防水扉と収納部とに対応して形成されこれら防水扉と収納部とに密着可能に当接する水密手段を変位自在に設け、防水扉の水密を確保する際、蓋を開けて水密手段を変位させて防水扉を閉じ、水密手段の長手方向に沿って設けられた一方のシール部を防水扉の下部に、水密手段の一方のシール部と部位を異ならせ長手方向に沿って設けられた他方のシール部を収納部にそれぞれ圧接させ、防水扉と収納部との間の水密を保持するよう構成したことを特徴とする防水扉の水密構造。
【請求項２】
水密手段を、収納部に揺動可能に取り付けられ、起立時上端が防水扉の下端より上方に位置する戸当たり板を備えて構成し、戸当たり板の、防水扉と向き合う面には、設けられ起立時防水扉の下部に当接する一方のシール部を、戸当たり板の異なる部位には、起立時収納部の内面に当接する他方のシール部をそれぞれ設けたことを特徴とする請求項１に記載の防水扉の水密構造。
【請求項３】
収納部左右方向両端には、内外側にそれぞれ側壁を有し床に形成された側溝に接続されるとともに、起立した戸当たり板との干渉を避けて内側壁の前後方向起立側が欠截された側溝受け部が形成され、
側溝受け部には、上面に床の側溝と連通する溝部が形成され、側溝受け部を閉塞して収納部への漏水を阻止する側溝受けカバーを取り外し自在に設け、
戸当たり板を二重板構造の揺動板体により構成し、この揺動板体を両端が側溝受け部との干渉を避けて後退して形成されるとともに、前後の板の左右方向長さ寸法を異ならせ立ち上がり方向側の後板を長寸に、横倒し方向側の前板を短寸に形成し、起立時、揺動板体と側溝受け部とに差し入れられ、揺動板体の各シール部と連続するシール部を有する第１の差し入れ板を備えて構成されることを特徴とする請求項２に記載の防水扉の水密構造。
【請求項４】
防水扉には、閉塞位置で扉を戸当たり板と各枠側に押圧してロックするロック装置を設けたことを特徴とする請求項２または３に記載の防水扉の水密構造。
【請求項５】
収納部には、ロック装置の一部が設けられ、
戸当たり板は、収納部に設けられたロック装置の一部に臨む揺動板体の上側の部位に、横倒し時、ロック装置の一部との干渉を避ける切り欠き部が形成されるとともに、前後の板の切り欠き面の大きさを異ならせ後板の切り欠き面より前板の切り欠き面を拡大させて形成し、起立時、揺動板体の切り欠き部に差し入れられ、差し入れ時、揺動板体の一方のシール部と連続するシール部を有する第２の差し入れ板を備えて構成されることを特徴とする請求項４に記載の防水扉の水密構造。
【請求項６】
構造物の出入り口の左右両側枠のうち少なくとも一方の側に一側部が開閉自在に支持された防水扉を、出入り口の上枠と左右側枠とに圧接させて出入り口を閉塞し水密を確保する防水扉の水密構造であって、
左右両側枠間を結ぶ床を凹陥させ上部開口に蓋板を有する収納部を形成し、この収納部には、長手方向に沿って防水扉に対応して形成された溝を形成するとともに、
一面と他面とにそれぞれ長手方向に沿って配置されたシール部材を有する差し込み板を前記溝に出し入れ可能に設け、
防水扉の水密を確保する際、蓋板を開いて差し込み板下部を前記溝に嵌め入れて防水扉を閉じ、一方のシール部材を防水扉に、他方のシール部材を収納部の内面にそれぞれ圧接させるよう構成したことを特徴とする防水扉の水密構造。
【発明の詳細な説明】
【技術分野】
【０００１】
本発明は、大雨や洪水時に建物や地下構造物に水が浸入しないように出入り口を閉塞する防水扉の水密構造に関するものである。
【背景技術】
【０００２】
従来、建物や地下構造物に水が浸入しないように出入り口を閉塞する防水扉として、手動式の防水扉装置であって、防水扉を出入り口の床面に設けた収納部に概ね水平状態に収納し、この防水扉が回動し起立状態になることで当該出入り口を閉塞するよう構成するとともに、防水扉はアームの先端部で防水扉の裏面側を押し上げる復元力が付加された回動アームを複数本有するよう構成し、当該複数本の回動アームの復元力に差を設けるようにしたものが提案されている（例えば、特許文献１参照）。
【先行技術文献】
【特許文献】
【０００３】
【特許文献１】特開２０１１−１４０７８６号公報
【発明の概要】
【発明が解決しようとする課題】
【０００４】
しかしながら、上記従来の防水扉の構造では、防水扉を回動させて起立状態とすることで出入り口を閉塞するには、床面に防水扉の寸法に準じた広さの収納部を設けなければならず、施工上大掛かりな工事が必要となりコストがかかるだけでなく、空間に制約のある場所では設置しにくいという問題がある。
【０００５】
本発明は上記課題を解決するためになされたもので、簡素な構成で、施工空間の制約を受けにくい防水扉の水密構造を提供することを目的とする。
【課題を解決するための手段】
【０００６】
本発明の請求項１に係る防水扉の水密構造は、構造物の出入り口の左右両側枠のうち少なくとも一方の側に一側部が開閉自在に支持された防水扉を、出入り口の上枠と左右側枠とに圧接させて出入り口を閉塞し水密を確保する防水扉の水密構造であって、左右両側枠間を結ぶ床を凹陥させ上部開口に蓋板を有する収納部を形成し、この収納部には、長手方向に沿って防水扉と収納部とに対応して形成されこれら防水扉と収納部とに密着可能に当接する水密手段を変位自在に設け、防水扉の水密を確保する際、蓋を開けて水密手段を変位させて防水扉を閉じ、水密手段の長手方向に沿って設けられた一方のシール部を防水扉の下部に、水密手段の一方のシール部と部位を異ならせ長手方向に沿って設けられた他方のシール部を収納部にそれぞれ圧接させ、防水扉と収納部との間の水密を保持するよう構成したことを特徴とするものである。
【０００７】
本発明の請求項１に係る防水扉の水密構造では、構造物の出入り口の左右両側枠のうち少なくとも一方の側に一側部が開閉自在に支持された防水扉を、出入り口の上枠と左右側枠とに圧接させて出入り口を閉塞し水密を確保する防水扉の水密構造であって、左右両側枠間を結ぶ床を凹陥させ上部開口に蓋板を有する収納部を形成し、この収納部には、長手方向に沿って防水扉と収納部とに対応して形成されこれら防水扉と収納部とに密着可能に当接する水密手段を変位自在に設け、防水扉の水密を確保する際、蓋を開けて水密手段を変位させて防水扉を閉じ、水密手段の長手方向に沿って設けられた一方のシール部を防水扉の下部に、水密手段の一方のシール部と部位を異ならせ長手方向に沿って設けられた他方のシール部を収納部にそれぞれ圧接させ、防水扉と収納部との間の水密を保持するよう構成したことにより、防水扉を閉じて水密を確保する際には、蓋板を開け水密手段を変位させて防水扉を閉じると、第１のシール部が防水扉の下部に、第２のシール部が収納部にそれぞれ圧接され、防水扉と収納部との間の水密が保持される。
【０００８】
本発明の請求項２に係る防水扉の水密構造は、水密手段を、収納部に揺動可能に取り付けられ、起立時上端が防水扉の下端より上方に位置する戸当たり板を備えて構成し、戸当たり板の、防水扉と向き合う面には、設けられ起立時防水扉の下部に当接する一方のシール部を、戸当たり板の異なる部位には、起立時収納部の内面に当接する他方のシール部をそれぞれ設けたことを特徴とするものである。
【０００９】
本発明の請求項３に係る防水扉の水密構造は、収納部左右方向両端には、内外側にそれぞれ側壁を有し床に形成された側溝に接続されるとともに、起立した戸当たり板との干渉を避けて内側壁の前後方向起立側が欠截された側溝受け部が形成され、側溝受け部には、上面に床の側溝と連通する溝部が形成され、側溝受け部を閉塞して収納部への漏水を阻止する側溝受けカバーを取り外し自在に設け、戸当たり板を二重板構造の揺動板体により構成し、この揺動板体を両端が側溝受け部との干渉を避けて後退して形成されるとともに、前後の板の左右方向長さ寸法を異ならせ立ち上がり方向側の後板を長寸に、横倒し方向側の前板を短寸に形成し、起立時、揺動板体と側溝受け部とに差し入れられ、揺動板体の各シール部と連続するシール部を有する第１の差し入れ板を備えて構成されることを特徴とするものである。
【００１０】
本発明の請求項４に係る防水扉の水密構造は、防水扉には、閉塞位置で扉を戸当たり板と各枠側に押圧してロックするロック装置を設けたことを特徴とするものである。
【００１１】
本発明の請求項５に係る防水扉の水密構造は、収納部には、ロック装置の一部が設けられ、戸当たり板は、収納部に設けられたロック装置の一部に臨む揺動板体の上側の部位に、横倒し時、ロック装置の一部との干渉を避ける切り欠き部が形成されるとともに、前後の板の切り欠き面の大きさを異ならせ後板の切り欠き面より前板の切り欠き面を拡大させて形成し、起立時、揺動板体の切り欠き部に差し入れられ、差し入れ時、揺動板体の一方のシール部と連続するシール部を有する第２の差し入れ板を備えて構成されることを特徴とするものである。
【００１２】
本発明の請求項６に係る防水扉の水密構造は、構造物の出入り口の左右両側枠のうち少なくとも一方の側に一側部が開閉自在に支持された防水扉を、出入り口の上枠と左右側枠とに圧接させて出入り口を閉塞し水密を確保する防水扉の水密構造であって、左右両側枠間を結ぶ床を凹陥させ上部開口に蓋板を有する収納部を形成し、この収納部には、長手方向に沿って防水扉に対応して形成された溝を形成するとともに、一面と他面とにそれぞれ長手方向に沿って配置されたシール部材を有する差し込み板を前記溝に出し入れ可能に設け、防水扉の水密を確保する際、蓋板を開いて差し込み板下部を前記溝に嵌め入れて防水扉を閉じ、一方のシール部材を防水扉に、他方のシール部材を収納部の内面にそれぞれ圧接させるよう構成したことを特徴とするものである。
【００１３】
本発明の請求項６に係る防水扉の水密構造では、構造物の出入り口の左右両側枠のうち少なくとも一方の側に一側部が開閉自在に支持された防水扉を、出入り口の上枠と左右側枠とに圧接させて出入り口を閉塞し水密を確保する防水扉の水密構造であって、左右両側枠間を結ぶ床を凹陥させ上部開口に蓋板を有する収納部を形成し、この収納部には、長手方向に沿って防水扉に対応して形成された溝を形成するとともに、一面と他面とにそれぞれ長手方向に沿って配置されたシール部材を有する差し込み板を前記溝に出し入れ可能に設け、防水扉の水密を確保する際、蓋板を開いて差し込み板下部を前記溝に嵌め入れて防水扉を閉じ、一方のシール部材を防水扉に、他方のシール部材を収納部の内面にそれぞれ圧接させるよう構成したことにより、防水扉を閉じて水密を確保する際には、蓋板を開け差し込み板を溝に差し込み防水扉を閉じると、一方のシール部材が防水扉の下部に、他方のシール部材が収納部にそれぞれ圧接され、防水扉と収納部との間の水密が保持される。
【発明の効果】
【００１４】
本発明の請求項１に係る防水扉の水密構造は、構造物の出入り口の左右両側枠のうち少なくとも一方の側に一側部が開閉自在に支持された防水扉を、出入り口の上枠と左右側枠とに圧接させて出入り口を閉塞し水密を確保する防水扉の水密構造であって、左右両側枠間を結ぶ床を凹陥させ上部開口に蓋板を有する収納部を形成し、この収納部には、長手方向に沿って防水扉と収納部とに対応して形成されこれら防水扉と収納部とに密着可能に当接する水密手段を変位自在に設け、防水扉の水密を確保する際、蓋を開けて水密手段を変位させて防水扉を閉じ、水密手段の長手方向に沿って設けられた一方のシール部を防水扉の下部に、水密手段の一方のシール部と部位を異ならせ長手方向に沿って設けられた他方のシール部を収納部にそれぞれ圧接させ、防水扉と収納部との間の水密を保持するよう構成したので、施工性を向上させて施工空間の制約を受けにくく、しかも閉塞作業を効率化するとともに、構成を簡素化してコストダウンを図る効果がある。
【００１５】
また、本発明の請求項６に係る防水扉の水密構造は、構造物の出入り口の左右両側枠のうち少なくとも一方の側に一側部が開閉自在に支持された防水扉を、出入り口の上枠と左右側枠とに圧接させて出入り口を閉塞し水密を確保する防水扉の水密構造であって、左右両側枠間を結ぶ床を凹陥させ上部開口に蓋板を有する収納部を形成し、この収納部には、長手方向に沿って防水扉に対応して形成された溝を形成するとともに、一面と他面とにそれぞれ長手方向に沿って配置されたシール部材を有する差し込み板を前記溝に出し入れ可能に設け、防水扉の水密を確保する際、蓋板を開いて差し込み板下部を前記溝に嵌め入れて防水扉を閉じ、一方のシール部材を防水扉に、他方のシール部材を収納部の内面にそれぞれ圧接させるよう構成したので、施工性を向上させて施工空間の制約を受けにくく、しかも閉塞作業を効率化するとともに、構成を簡素化してコストダウンを図る効果がある。
【図面の簡単な説明】
【００１６】
【図１】図１は本発明の第１の実施例に係る防水扉の水密構造を示す一部破断平面図で、防水扉が開いた状態を示す図である。（実施例１）
【図２】図２は図１の防水扉が閉じた状態を示す平面図である。
【図３】図３は図１の防水扉が閉じた状態を示す一部破断正面図である。
【図４】図４は図３のＩＶ−ＩＶ線断面図である。
【図５】図５は図１の防水扉が閉じられた際の要部の断面図である。
【図６】図６は図５の起立状態の戸当たり板を上方から見た説明図である。
【図７】図７は図５の起立状態の戸当たり板を収納部に横倒しする際の説明図である。
【図８】図８の（Ａ）ないし（Ｄ）はそれぞれ、防水扉の水密構造の要部の斜視図を示す説明図である。
【図９】図９の（Ａ）ないし（Ｃ）はそれぞれ、戸当たり板が収納部に収納された状態を示す収納部の要部平面図、戸当たり板が起立した状態を示す収納部の要部平面図および戸当たり板が起立した状態を示す収納部の一部破断正面図である。
【図１０】図１０の（Ａ）、（Ｂ）はそれぞれ、起立状態の戸当たり板に第２の差し入れ板を差し込んだ状態を示す要部の平面図および側面図、図１１の（Ｃ）、（Ｄ）はそれぞれ、 第２の差し入れ板を収納部に収納した状態を示す説明図および起立状態の戸当たり板に差し込んだ状態を示す断面図である。
【図１１】図１１の（Ａ）、（Ｂ）はそれぞれ、起立状態の戸当たり板に第１の差し入れ板を差し込んだ状態を示す要部の平面図および側面図、図１２の（Ｃ）、（Ｄ）はそれぞれ、 第１の差し入れ板を収納部に収納した状態を示す説明図および起立状態の戸当たり板に差し込んだ状態を示す断面図である。
【図１２】図１２の（Ａ）ないし（Ｃ）はそれぞれ、側溝受け部に配置される側溝受けカバーを示す平面図、側面図および正面図である。
【図１３】図１３の（Ａ）ないし（Ｃ）はそれぞれ、本発明の第２の実施例に係る防水扉の水密構造を示す説明図で、（Ａ）は戸当たり板の横倒し状態を示す平面図、（Ｂ）は戸当たり板の起立状態を示す平面図、（Ｃ）は防水扉を閉じて戸当たり板と密着した状態を示す正面図である。（実施例２）
【図１４】図１４は図１３の防水扉の水密構造の要部を示す断面図である。
【図１５】図１５は図１３の（Ｃ）のＸＶ−ＸＶ線断面図である。
【図１６】図１６は図１３の（Ｃ）のＸＶＩ−ＸＶＩ線断面図である。
【図１７】図１７の（Ａ）ないし（Ｄ）はそれぞれ、図１３の防水扉の水密構造の要部の斜視図を示す説明図である。
【図１８】図１８の（Ａ）、（Ｂ）はそれぞれ，本発明の第３の実施例に係る防水扉の水密構造を示す断面図および一部破断斜視図である。（実施例３）
【発明を実施するための形態】
【００１７】
防水扉の水密構造を簡素化し施工空間の制約を受けにくい構造を実現するという目的を、構造物の出入り口の左右両側枠のうち少なくとも一方の側に一側部が開閉自在に支持された防水扉を、出入り口の上枠と左右側枠とに圧接させて出入り口を閉塞し水密を確保する防水扉の水密構造であって、左右両側枠間を結ぶ床を凹陥させ上部開口に蓋板を有する収納部を形成し、この収納部には、長手方向に沿って防水扉と収納部とに対応して形成されこれら防水扉と収納部とに密着可能に当接する水密手段を変位自在に設け、防水扉の水密を確保する際、蓋を開けて水密手段を変位させて防水扉を閉じ、水密手段の長手方向に沿って設けられた一方のシール部を防水扉の下部に、水密手段の一方のシール部と部位を異ならせ長手方向に沿って設けられた他方のシール部を収納部にそれぞれ圧接させ、防水扉と収納部との間の水密を保持するよう構成し、水密手段を、収納部に揺動可能に取り付けられ、起立時上端が防水扉の下端より上方に位置する戸当たり板を備えて構成し、戸当たり板の、防水扉と向き合う面には、設けられ起立時防水扉の下部に当接する一方のシール部を、戸当たり板の異なる部位には、起立時収納部の内面に当接する他方のシール部をそれぞれ設けたことにより実現した。
【実施例１】
【００１８】
以下、図面に示す実施例により本発明を説明する。本発明の第１の実施例に係る防水扉の水密構造２は、図１ないし図３に示すように、地下構造物の通路（または施設）Ｆの出入り口４に設けられる。この出入り口４には、左右両側枠５Ａ、５Ｂと上枠５Ｃとがそれぞれコンクリートの壁面と天井とにそれぞれ設けられ、一方の側枠５Ａには、防水扉６の一側が二軸蝶番７により開閉可能に連結されて支持される。一方の側枠５Ａは断面Ｌ字状に形成され、内側面のうち防水扉６と向き合う面のうち少なくともいずれか一方には、弾性を有するシール部材（図示せず）が貼着される。他方の側枠５Ｂと上枠５Ｃとにも、防水扉６と向き合う部位にシール部材（図示せず）が貼着される。防水扉６は、閉じられて枠５Ａ〜５Ｃに当接すると、枠５Ａ〜５Ｃと当接する部位は図示しないシール部材に密着される一方、下端面と床面Ｆとの間には、細隙が確保されるようになっている。
【００１９】
ところで、本実施例に係る防水扉の水密構造２では、左右両側枠５Ａ、５Ｂ間を結ぶ床を凹陥させ、この凹陥部に金属製の筐体を嵌め込み固定して収納部１０が形成される。この収納部１０の上部開口には、蓋板１１がラバーヒンジ１１Ａを介して開閉可能に取り付けられる。蓋板１１は床面と同一のレベルを確保するようになっている。このため、防水扉６を閉じた際、防水扉６の下端面と蓋板１１との間には、細隙が形成される。また、蓋板１１の前後方向後方側一端下面には、ラバーヒンジ１１Ａが、前後方向前方側端部下面と左右方向両端部下面とには、防水ゴム１１Ｂがそれぞれ設けられる。蓋板１１と収納部１０とには、ロック機構８が設けられる。ロック機構８は、収納部１０に形成されたスリット８Ａと蓋板１１に設けられスリット８Ａに掛合して蓋板１１を収納部１０にロックさせる掛合部８Ｂとを備えて構成される。蓋板１１は、ロック機構８により収納部１０にロックされると、収納部１０の開口部に密着され、収納部１０への水の浸入を阻止するようになっている。
【００２０】
収納部１０の左右方向両端には、通路（床）Ｆの両端に形成された出入り口４の前後側両側溝１２、１２を接続する側溝受け部１３（図９参照）が設けられる。側溝受け部１３は底面が収納部１０の底面と同一面に形成され、側溝１２より深い位置に底面が形成される。側溝受け部１３は、収納部１０の前後方向長さと同一寸法で底面から垂直に立ち上がる外側壁１４と、後述する起立した戸当たり板２０との干渉を避けて起立側端部（収納部１０の起立側、以後、収納部１０の前後方向後方側という）を欠截しこの外側壁１４より前後方向寸法が短寸で底面から立ち上がる内側壁１５とを備えて構成される。各壁１４、１５には内側にストッパ１６が設けられ、後述する戸当たり板２０が起立した際、戸当たり板２０の前側面２６に当接するようになっている。
【００２１】
側溝受け部１３には、側溝受けカバー１７が取り外し自在に設けられる。側溝受けカバー１７は、上面に床Ｆの側溝１２と連通しほぼ同じ深さを有する溝部１８が形成される。側溝受けカバー１７は、側溝受け部１３に取り付けられると、側溝受け部１３を閉塞して収納部１０への漏水を阻止するようになっている。溝部１８は、側溝１２の底面とほぼ同一レベルの底面１８Ａとこの底面１８Ａから前後に延長され側溝１２の底面に載置される延長部１８Ｂ、１８Ｃとを有している。側溝受けカバー１７は、防水扉６の開放時に側溝受け部１３に取り付けられ、防水扉６の閉塞時には、側溝受け部１３から取り外されるようになっている。なお、符号１９は土手部で、溝部１８の左右方向幅を決定している。
【００２２】
収納部１０には、収納部１０の底部から突出する突出部２１にピン２２を介して戸当たり板（水密手段）２０が揺動可能に取り付けられる。戸当たり板２０は、二重板構造の揺動板体２３と、この揺動板体２３に取り外し自在に差し入れられる差し入れ板２４Ａ、２４Ｂ、２５Ａ、２５Ｂとを備えて構成される。揺動板体２３の左右方向の長さ寸法Ｌ１は、収納部１０の左右端に設けられた側溝受け部１３の内側壁１５、１５間の距離Ｌ２より短寸となっている（Ｌ１＜Ｌ２）。すなわち、揺動板体２３は、両端２３Ａ、２３Ｂが側溝受け部１３、１３との干渉を避けて後退して形成されるようになっている。揺動板体２３は、前後の板２３Ｃ、２３Ｄの左右方向長さ寸法を異ならせ立ち上がり方向側の後板２３Ｃを長寸に、横倒し方向側の前板２３Ｄを短寸に形成して構成される。揺動板体２３は、起立させられて揺動端２０Ａが上方位置にあると、閉じられた防水扉６の下部に向き合うようになっている。また、揺動板体２３は、防水扉６が開いた状態で揺動して横倒しされると、収納部１０内に収納されるようになっている。
【００２３】
揺動板体２３の横倒し方向側（出入り口前後方向の前方側）の面２６上部には、図５に示すように、長手方向に沿って第１のシール部（一方のシール部）２７が設けられる。第１のシール部２７は、揺動板体２３の前方側面２６に貼着されたゴムや合成樹脂等の弾性を有する密着部材２７Ａとこの密着部材２７Ａを支持する支持部材２７Ｂとから構成される。第１のシール部２７は、揺動板体２３が起立させられて、防水扉６が閉じられると、防水扉６の後方側面６Ｂの下部に密着するようになっている。また、揺動板体２３の起立方向側（出入り口前後方向の後方側）の面２８下部には、長手方向に沿って沿って第２のシール部（他方のシール部）２９が設けられる。シール部２９は、揺動板体２３の後方側面２８に貼着されたゴムや合成樹脂等の弾性を有する密着部材２９Ａとこの密着部材２９Ａを支持する支持部材２９Ｂとから構成される。第２のシール部材２９は、揺動板体２３が起立させられると、収納部１０の後方側壁面１０Ａに密着するようになっている。
【００２４】
差し入れ板２４Ａ、２４Ｂ、２５Ａ、２５Ｂのうち、側溝受け部１３側の差し入れ板（第１の差し入れ板）２４Ａ、２４Ｂはそれぞれ、揺動板体２３の起立時、揺動板体２３の両端部２３Ａ、２３Ｂと側溝受け部１３、１３の外側壁１４、１４との間に差し入れられる。これら差し入れ板２４Ａ、２４Ｂは、揺動板体２３と側溝受け部１３、１３との間に差し入れられると、後方側の面が揺動板体２３の後板２３Ｃに、前方側の面がストッパ１６にそれぞれ当接して保持されるようになっている。差し入れ板２４Ａ、２４Ｂはそれぞれ、前方側の面に、差し入れ時揺動板体２３の第１のシール部２７と連続するシール部３０を、後方側の面に、揺動板体２３の第２のシール部２９と連続するシール部３１を備えている。このため、一方のシール部３０は、揺動板体２３が起立させられて、防水扉６が閉じられると、防水扉６の後方側面６Ｂの下部に第１のシール部２７と連続して密着するようになっている。他方のシール部３１は、揺動板体２３が起立させられると、収納部１０の後方側壁面１０Ａに第２のシール部２９と連続して密着するようになっている。
【００２５】
防水扉６には、グレモン錠（Extension bolt lock、ロック装置）４０が設けられる。グレモン錠４０は、図３および図４に示すように、防水扉６の内部にそれぞれ上下動可能に設けられ、上端が防水扉６の上面から突出して上枠５Ｃの孔に当接して押入可能な上側ロッド４１Ａ、４１Ｂと、下端が防水扉６の下面から突出して収納部１０に設けられた受け部４４の受け入れ口４４Ａに当接して押入可能な下側ロッド４２Ａ、４２Ｂと、防水扉６の内部に水平動可能に設けられ、外端が防水扉６の左側面から突出して側枠５Ａの孔に当接して押入可能な左側ロッド４３Ａと、外端が防水扉６の右側面から突出して側枠５Ｂの孔に当接して押入可能な右側ロッド４３Ｂとを備えている。グレモン錠４０は、これら各ロッド４１Ａ、４１Ｂ、４２Ａ、４２Ｂ、４３Ａ、４３Ｂの突出端を防水扉６の外側の突出位置と防水扉６内部の後退位置に進退動させる操作部４５、４６を備えて構成される。収納部１０には、下側ロッド４２Ａ、４２Ｂの突出端を受け入れる受け部４４が二カ所に設けられる。
【００２６】
グレモン錠４０の各ロッド４１Ａ〜４３Ｂの突出端はいずれもテーパ状に形成され、操作部４５、４６の操作により各ロッド４１Ａ〜４３Ｂの突出端が側枠５Ａ、５Ｂ、上枠５Ｃおよび受け部４４の受け入れ口４４Ａに当接して押入されると、防水扉６を側枠５Ａ、５Ｂ、上枠５Ｃおよび戸当たり板２０の側に押圧し、戸当たり板２０の連続するシール部３０、２７、４８、２７、４８、２７、３０と側枠５Ａ、５Ｂ、上枠５Ｃの図示しないそれぞれのシール部に圧接させるようになっている。なお、このとき、戸当たり板２０の他方の連続するシール部３１，２９、３１は収納部１０の後方側壁面１０Ａに圧接されるようになっている。
【００２７】
揺動板体２３は、受け部４４に臨む部位に、横倒し時、受け部４４との干渉を避ける切り欠き部４７が形成される。切り欠き部４７は、揺動板体２３の上側に前後の板２３Ｃ、２３Ｄの切り欠き面の大きさを異ならせて形成され、後板２３Ｃの切り欠き面４７Ａより前板２３Ｄの切り欠き面４７Ｂは拡大されて形成される。揺動板体２３の起立時、揺動板体２３の切り欠き部４７には、差し入れ板（第２の差し入れ板）２５Ａ、２５Ｂが差し入れられるようになっている。これら差し入れ板２５Ａ、２５Ｂはそれぞれ、揺動板体２３の切り欠き部４７に差し入れられると、後方側の面が揺動板体２３の後板２３Ｃの露出面に当接するようになっている。差し入れ板２５Ａ、２５Ｂはそれぞれ、前方側の面に、差し入れ時揺動板体２３の第１のシール部２７と連続するシール部４８を備えている。このため、シール部４８は、揺動板体２３が起立させられて、差し入れ板２５Ａ、２５Ｂが切り欠き部４７に差し入れられ、防水扉６が閉じられると、防水扉６の後方側面６Ｂの下部に第１のシール部２７と連続して密着するようになっている。このとき、揺動板体２３の後方側面で切り欠き部４７の下部に貼着された第２のシール部２９は、収納部１０の後方側壁面１０Ａに密着されている。
【００２８】
次に、上記第１の実施例に係る防水扉の水密構造２の作用について説明する。上記実施例に係る防水扉の水密構造２は、まず、防水扉６が開放されると、収納部１０の側溝受け部１３に側溝受けカバー１７を載置して、床Ｆの側溝１２と溝部１８との連通を確保する。次に、揺動板体２３を横倒しして、収納部１０に納めるとともに、差し入れ板２４Ａ、２４Ｂ、２５Ａ、２５Ｂを収納部１０内に納める。なお、これら差し入れ板２４Ａ、２４Ｂ、２５Ａ、２５Ｂは別の場所で保管するようにしてもよい。そして、蓋板１１を収納部１０の開口に取り付け、収納部１０内への漏水を阻止するとともに、床Ｆと同一のレベルの出入り口４の通路を確保する（図８の（Ａ）参照）。このとき、防水扉６下端と床Ｆおよび蓋板１１との間には細隙が確保されているので、防水扉６は、出入り口４の枠５Ａ、５Ｂ、５Ｃに対して開閉自在となっている。
【００２９】
次に、防水扉６を閉じて、防水扉６の水密を確保する際には、まず、蓋板１１を開く（図５参照）。そして、揺動板体２３を揺動させて起立させ、側溝受けカバー１７、１７を取り外す（図８の（Ｃ）参照）、揺動板体２３の両端部に差し入れ板２４Ａ、２４Ｂを、切り欠き部４７、４７にそれぞれ差し入れ板２５Ａ、２５Ｂをそれぞれ差し入れる。こうして戸当たり板２０が構成される。このとき、起立した戸当たり板２０の前側面には、長手方向に連続してシール部３０、２７、４８、２７、４８、２７、３０が形成される。起立した戸当たり板２０の後側面には、長手方向に連続してシール部３１，２９、３１が形成され、このとき、これら連続するシール部３１，２９、３１は収納部１０の後方側壁面１０Ａに当接される。この状態で、防水扉６を閉じてグレモン錠４０を操作してロックすると、防水扉６は上枠５Ａと両側枠５Ｂ、５Ｃ側に押しつけられ、上枠５Ａと両側枠５Ｂ、５Ｃ側の図示しないシール部材に圧接されるとともに、下部は、起立した戸当たり板２０の連続するシール部３０、２７、４８、２７、４８、２７、３０に圧接される。そして、このとき、戸当たり板２０の他方の連続するシール部３１，２９、３１は収納部１０の後方側壁面１０Ａに圧接されている。このように、防水扉６は後方側の面が枠５Ａ〜５Ｃと戸当たり板２０により全周がシールされるとともに、防水扉６と収納部１０との間も戸当たり板２０のシール部３１，２９、３１によりシールされる。こうして、防水扉６は出入り口４に水密を確保してロックされ開放が阻止される。このため、防水扉６の出入り口４の前方側から水が流入し水圧がかかっても、水密が確保されるようになっている。このように、本実施例に係る防水扉の水密構造２では、揺動板体２３を起立させて揺動板体２３に差し入れ板２４Ａ、２４Ｂ、２５Ａ、２５Ｂを差し入れ、防水扉６を閉じてロックするだけで水密を確保することができ、閉塞作業を効率化することができる。また、構造を簡素化できるので、コストダウンを図ることができる。さらに、側枠５Ｂ、５Ｃ間に収納部１０を形成することにより施工空間の制約を受けにくく、施工性を向上させることができる。なお、本実施例では、シール部３１，２９、３１を弾性変形を利用して収納部１０のほぼ垂直に形成された後方側壁面１０Ａに密着させるようにしているがこれに限られるものではなく、シール部３１，２９、３１を円滑に密着させるため、収納部１０の後方側壁面１０Ａを傾斜させて形成するようにしてもよい。
【実施例２】
【００３０】
次に、本発明の第２の実施例に係る防水扉の水密構造１０２について説明する。第２の実施例に係る防水扉の水密構造１０２は、図１３の（Ａ）ないし（Ｃ）に示すように、上記第１の実施例に係る防水扉の水密構造２が、収納部１０に側溝受け部１３とグレモン錠４０の受け部４４とを設け、これら側溝受け部１３とグレモン錠４０の受け部４４との干渉を避けるため、戸当たり板２０を揺動板体２３とこの揺動板体２３に差し入れる差し入れ板２４Ａ、２４Ｂ、２５Ａ、２５Ｂとにより構成しているのに対し、通路または床Ｆに側溝がない場合に適用されるもので、収納部には、側溝受け部と受け部とを設けておらず、戸当たり板１２０を収納部１１０の左右方向幅に合致させて一枚板で構成した点が異なっている。
【００３１】
第２の実施例に係る防水扉の水密構造１０２は、左右両側枠１０５Ａ、１０５Ｂ間を結ぶ床を凹陥させ、この凹陥部に金属製の筐体を嵌め込み固定して収納部１１０が形成される。収納部１１０は、図１４に示すように、左右両側枠１０５Ａ、１０５Ｂ間から前方側（防水扉１０６側）の床Ｆ１に迫り出して形成される。収納部１１０の上部開口には、一対の蓋板１１１Ａ、１１１Ｂが図示しないラバーヒンジを介して開閉可能に取り付けられる。蓋板１１１Ａ、１１１Ｂは床面と同一のレベルを確保するようになっている。床Ｆ１、Ｆ２は、前方側の床Ｆ１と後方側の階段Ｆ２とからなり、後方側の階段床Ｆ２は外部に続くようになっている。防水扉１０６を閉じた際、防水扉１０６の下端面と蓋板１１１Ａ、１１１Ｂとの間には、細隙が形成される。
【００３２】
収納部１１０には、収納部１１０の底部から突出する突出部１２１にピン１２２を介して戸当たり板（水密手段）１２０が揺動可能に取り付けられる。戸当たり板１２０は、左右方向の長さ寸法が収納部１１０の左右方向長さ寸法とほぼ合致して形成される。戸当たり板１２０は、起立させられて揺動端１２０Ａが上方位置にあると、閉じられた防水扉１０６の下部に向き合うようになっている。また、戸当たり板１２０は、防水扉１０６が開いた状態で揺動して横倒しされると、収納部１１０内に収納されるようになっている。符号１２４は取っ手である。
【００３３】
戸当たり板１２０の横倒し方向側（出入り口前後方向の前方側）の面１２６上部には、図１３の（Ｃ）および図１４に示すように、長手方向に沿って第１のシール部（一方のシール部）１２７が貼着される。第１のシール部１２７は、ゴムや合成樹脂等の弾性を有する密着部材とこの密着部材を支持する支持部材（図示せず）とから構成される。第１のシール部１２７は、戸当たり板１２０が起立させられて、防水扉１０６が閉じられると、防水扉１０６の後方側面１０６Ｂの下部に密着するようになっている。また、戸当たり板１２０の起立方向側（出入り口前後方向の後方側）の面１２８下部には、長手方向に沿って第２のシール部（他方のシール部）１２９が設けられる。この第２のシール部１２９は、ゴムや合成樹脂等の弾性を有する密着部材とこの密着部材を支持する支持部材（図示せず）とから構成される。戸当たり板１２０が起立させられると、収納部１１０の底面に密着するようになっている。
【００３４】
本実施例に係る防水扉の水密構造１０２は、如上の如く構成されているので、まず、防水扉１０６が開放されると、蓋板１１１Ａ、１１１Ｂにより収納部１１０の開口を閉じ、収納部１１０内への漏水を阻止するとともに、床Ｆ１と同一のレベルの出入り口の通路を確保する。このとき、防水扉１０６下端と床Ｆ１および蓋板１１１Ａ、１１１Ｂとの間には細隙が確保されているので、防水扉６は、出入り口の側枠１０５Ａ、１０５Ｂと上枠（図示せず）に対して開閉自在となっている。
【００３５】
次に、防水扉１０６を閉じて、防水扉１０６の水密を確保する際には、まず、蓋板１１１Ａ、１１１Ｂを開いて、戸当たり板１２０を揺動させて起立させる。このとき、第２のシール部１２９は、収納部１１０の底面に密着される。この状態で、防水扉１０６を閉じてロックすると、防水扉１０６は上枠（図示せず）および両側枠１０５Ａ、１０５Ｂのシール部材に密着されるとともに、下部は、起立した戸当たり板１２０の第１のシール部１２７に密着される。そして、このとき、戸当たり板１２０の第２のシール部１２９は収納部１１０の底面に密着されている。このように、防水扉１０６は後方側の面が上枠および両側枠１０５Ａ、１０５Ｂと戸当たり板１２０により全周がシールされるとともに、防水扉１０６と収納部１１０との間も戸当たり板１２０の第２のシール部１２９によりシールされる。このため、防水扉１０６の出入り口の前方側から水が流入し水圧がかかっても、水密が確保されるようになっている。このように、本実施例に係る防水扉の水密構造１０２では戸当たり板１２０を起立させて、防水扉１０６を閉じてロックするだけで水密を確保することができ、閉塞作業を効率化することができる。また、構造を簡素化できるので、コストダウンを図ることができる。さらに、側枠１０５Ａ、１０５Ｂ間に収納部１１０を形成することにより施工空間の制約を受けにくく、施工性を向上させることができる。
【実施例３】
【００３６】
次に、本発明の第３の実施例に係る防水扉の水密構造２０２について説明する。第３の実施例に係る防水扉の水密構造２０２は、図１８の（Ａ）、（Ｂ）に示すように、上記第１および第２の実施例に係る防水扉の水密構造２、１０２が、戸当たり板２０、１２０を収納部１０、１１０内に揺動可能に配置しているのに対し、収納部２１０に溝２１１を形成し、差し込み板２２０をこの溝２１１に脱着可能な一枚板から構成した点が異なっている。
【００３７】
すなわち、本実施例に係る防水扉の水密構造２０２は、出入り口の左右両側枠（図示せず）間を結ぶ床Ｆ４を凹陥させ上部開口に蓋板（図示せず）が開閉可能に取り付けられる収納部２１０を形成し、この収納部２１０には、底部の後方側（図１８の（Ａ）左側）に左右方向に沿って防水扉２０６の後方側面２０６Ｂより後方側に溝２１１を形成している。そして、水密手段を、この溝２１１に出し入れ可能な差し込み板２２０と、差し込み板２２０の前方側の面２２６の上部に長手方向に沿って貼着された第１のシール部２２７と、差し込み板２２０の後方側の面２２８に第１のシール部２２７より下側で高さを異ならせて長手方向に沿って貼着された第２のシール部材２２９とを備えて構成している。第２のシール部材２２９は、差し込み板２２０の下部が溝２１１に差し入れられると、収納部２１０の後方側壁面２１０Ａに密着されるようになっている。第１のシール部２２７は、差し込み板２２０が溝２１１に差し入れられ、防水扉２０６が閉じられると、防水扉２０６の後方側面２０６Ｂの下部に密着されるようになっている。このように、防水扉２０６は後方側の面が図示しない上枠および両側枠と差し込み板２２０により全周がシールされるとともに、防水扉２０６と収納部２１０との間も差し込み板２２０の第２のシール部２２９によりシールされる。このため、防水扉２０６の出入り口の前方側から水が流入し水圧がかかっても、水密が確保されるようになっている。このように、本実施例に係る防水扉の水密構造２０２では差し込み板２２０を溝２１１に差し込み、防水扉２０６を閉じてロックするだけで水密を確保することができ、閉塞作業を効率化することができる。また、構造を簡素化できるので、コストダウンを図ることができる。さらに、側枠間に収納部２１０を形成することにより施工空間の制約を受けにくく、施工性を向上させることができる。
【符号の説明】
【００３８】
２  防水扉の水密構造
４  構造物の出入り口
５Ａ、５Ｂ  左右側枠
５Ｃ  上枠
６  防水扉
１０  収納部
１１  蓋板
２０  戸当たり板（水密手段）
２７  第１のシール部（一方のシール部）
２９  第２のシール部（他方のシール部）
Ｆ  床
【図１】
2015042822.tif 000003
【図２】
2015042822.tif 000004
【図３】
2015042822.tif 000005
【図４】
2015042822.tif 000006
【図５】
2015042822.tif 000007
【図６】
2015042822.tif 000008
【図７】
2015042822.tif 000009
【図８】
2015042822.tif 000010
【図９】
2015042822.tif 000011
【図１０】
2015042822.tif 000012
【図１１】
2015042822.tif 000013
【図１２】
2015042822.tif 000014
【図１３】
2015042822.tif 000015
【図１４】
2015042822.tif 000016
【図１５】
2015042822.tif 000017
【図１６】
2015042822.tif 000018
【図１７】
2015042822.tif 000019
【図１８】
2015042822.tif 000020